(57)【特許請求の範囲】
【請求項１】
聴取希望のプログラムタイプを指定させて、当該プログラムタイプをサーチする機能を備えたディジタル放送受信装置において、
当該プログラムタイプのサーチモードを、単一のアンサンブルの中からプログラムタイプをサーチする狭域サーチモードとするか、複数のアンサンブルにわたってプログラムタイプをサーチする広域サーチモードとするかをユーザーが選択可能なことを特徴とするディジタル放送受信装置。
【請求項２】
前記サーチモードが狭域サーチモードに設定されている場合、単一のアンサンブルの中にユーザーが聴取希望のプログラムタイプがなかった場合、複数のアンサンブルにわたってプログラムタイプのサーチを行うことを特徴とする請求項１に記載のディジタル放送受信装置。
【請求項３】
聴取希望のプログラムタイプを指定させて、当該プログラムタイプをサーチするディジタル放送用受信方法において、
当該プログラムタイプのサーチモードに、狭域サーチモードがユーザーにより選択されている場合は単一のアンサンブルの中からプログラムタイプをサーチし、広域サーチモードがユーザーにより選択されている場合は複数のアンサンブルにわたってプログラムタイプをサーチすることを特徴とするディジタル放送受信方法。
【発明の詳細な説明】
【技術分野】
【０００１】
本発明はディジタルオーディオ放送受信装置におけるサービス提供方法に関する。
【０００２】
ディジタルオーディオ放送（Digital Audio Broadcasting、以下、ＤＡＢとも称す）は、１つの送信電波（アンサンブル）の中に複数のサービスを同時に含ませてユーザに対し放送する、従来のアナログ放送とは全く異なる形態の放送である。このＤＡＢは欧州においてＥＵＲＥＣＡの名のもとで開発が進められ、仕様も定められて、一部の国では実用段階に入っている。
【背景技術】
【０００３】
図２３はＤＡＢの仕様に準拠した放送信号形態を階層構造で表す図（その１）であり、
図２４は同図（その２）である。
【０００４】
これらの図の内容は公知であるが、本発明が適用される対象の位置付けを説明するためにここに示す。したがって本発明と直接関係ない部分については説明を簡単に済ませるかまたは省略する。
【０００５】
本発明に関係する部分は、図２３における最下段の高速情報チャネル部ＦＩＣ（Fast Information Channel）であり、さらに詳細には、該ＦＩＣ内の、図２４の最下段に示す高速情報グループ部ＦＩＧ（Fast Information Group）の一部を構成するＦＩＧデータフィールド（FIG data Field）である。図２３の最上段に戻ると、送信電波（１つの周波数）はアンサンブルを含んでいる。
【０００６】
このアンサンブルは複数のサービス局からの放送内容からなる。この放送内容は複数のサービスコンポーネント（番組）からなり、データ（ＤＡＴＡ  Ａ）も含まれる。これらのサービスコンポーネントは、ＤＡＢ  １ｆｒａｍｅを構成する。このＤＡＢ  １ｆｒａｍｅはＤＡＢ受信機における復調時のデータフォーマットであり、受信データはこのようにイメージすることができる。この受信データの一部に上述したＦＩＣが含まれ、このＦＩＣにはサブチャネルＳｕｂＣｈ  ｊ，ｃ…（実際の音声データが含まれる）についての詳細情報が含まれる。このＦＩＣの詳細は図２４の最上段に拡大してＦＩＣとして示される。
【０００７】
このＦＩＣは図示のとおり、複数の高速情報ブロックＦＩＢ（Fast Information Block）より構成されている。次段にそのＦＩＢを拡大して示す。図示のとおり、ＦＩＢ  ｄａｔａ  ｆｉｅｌｄとＣＲＣのｆｉｅｌｄからなる。さらに次段にそのＦＩＢ  ｄａｔａ  ｆｉｅｌｄを拡大して示す。図示のとおり、複数の高速情報グループＦＩＧおよびその他の情報部分からなる。
【０００８】
図２４の最下段は前述したＦＩＧであり、ＦＩＧ  ｈｅａｄｅｒと本発明に関係するＦＩＧデータフィールド（FIG data field）とから構成される。このＦＩＧデータフィールドにはプログラムタイプが格納される。このプログラムタイプについて次に説明する。図２５はプログラムタイプの具体例を表す図である。
【０００９】
プログラムタイプは本発明と特に関係するサービスのジャンル分け（ニュース、スポーツ、音楽、天気予報…）を定めたものであり、それぞれにコード（ｃｏｄｅ）が割り当てられている。本図では、ＮｅｗｓからＡｌａｒｍまで３１のジャンルが示してある。
【発明の開示】
【発明が解決しようとする課題】
【００１０】
ＤＡＢではユーザが、プログラムタイプを利用して、好みのサービスをいつでも捕捉可能となり、好みの番組の時間が来るまで待つといった従来のアナログ放送にはない新たな受信機能が実現される。本発明の目的は、ユーザにとって一層便利なしかも高機能なデジタル放送受信機を提案することである。
【発明の効果】
【００１１】
以上説明したように本発明によれば、ＤＡＢ受信機において、ユーザにとって一層便利でしかも高機能なサービス提供を実現することができる。
【課題を解決するための手段】
【００１２】
上記目的を達成するために、本発明は、聴取希望のプログラムタイプを指定させて、当該プログラムタイプをサーチする機能を備えたディジタル放送受信装置において、当該プログラムタイプのサーチモードを、単一のアンサンブルの中からプログラムタイプをサーチする狭域サーチモードとするか、複数のアンサンブルにわたってプログラムタイプをサーチする広域サーチモードとするかを選択可能なことを特徴とするものである。
また、前記サーチモードが狭域サーチモードに設定されている場合、単一のアンサンブルの中にユーザーが聴取希望のプログラムタイプがなかった場合、複数のアンサンブルにわたってプログラムタイプのサーチを行うことを特徴とする。
また、聴取希望のプログラムタイプを指定させて、当該プログラムタイプをサーチする機能を備えたディジタル放送受信装置において、単一のアンサンブルの中にユーザーが聴取希望のプログラムタイプがあるか否かのサーチを行い、聴取希望のプログラムタイプがなかった場合に、複数のアンサンブルにわたってプログラムタイプのサーチを行うか否かを選択可能なことを特徴とする。
また、聴取希望のプログラムタイプを指定させて、当該プログラムタイプをサーチするディジタル放送用受信方法において、当該プログラムタイプのサーチモードに狭域サーチモードが選択されている場合は単一のアンサンブルの中からプログラムタイプをサーチし、広域サーチモードが選択されている場合は複数のアンサンブルにわたってプログラムタイプをサーチする。
【発明を実施するための最良の形態】
【００１３】
図１は本発明を適用するのに好適なＤＡＢ受信機の一例を示す図である。本図において、放送局からの送信電波（アンサンブル）は、アンテナ１を介し、例えばＯＦＤＭ（Orthogonal Frequency Division Multiplex ）復調を行う無線受信部（ＲＦ）２に印加される。
【００１４】
無線受信部２からの出力信号は復調部３にて復調され、図２３の最下段に示す受信データ（ＤＡＴＡ  １ｆｒａｍｅ）が再生される。その受信データは次段のチャネルデコード部４に入力され、ここでユーザによって選択された１つのチャネル（図２３のＳｕｂＣｈ  ｊ，ｃ…参照）が取り出される。
【００１５】
取り出されたチャネルの信号はオーディオデコード部５において原ディジタル信号として再生される。ここでのデコードは例えばＭＰＥＧデコードである。再生された原ディジタル信号は、Ｄ／Ａ変換器６でアナログ信号となり、増幅器（ＡＭＰ）７を通してスピーカ（ＳＰ）８から出力される。ユーザとのインタフェースをなすのは、上記スピーカ８の他に例えば液晶のディスプレイ９がある。
【００１６】
ＤＡＢ受信機全体の制御を司るのはマイコン１１であり、上述した復調部３等と図示のとおりバス接続される。他方マイコン１１は、上記ディスプレイ９を駆動させるための表示部インタフェース１４、キーボード１２、ディジタル信号処理回路（ＤＳＰ）１３，ＲＡＭ１５，ＲＯＭ１６等にも接続し、これらと協働して所定の受信処理を行う。
【００１７】
このようなＤＡＢ受信機において実現される本発明のサービス提供方法の基本的態様は次のとおりである。図２は（本発明による→削除）サービス提供方法の各態様を表す図である。本図において、本発明による第１の態様では、プログラムタイプサーチの結果、該当のプログラムタイプの候補が複数存在するとき、所定の数だけ候補が揃った時点でそのサーチを終了するようにする。
【００１８】
本発明による第２の態様では、複数のアンサンブルにわたってプログラムタイプをサーチするとき、サーチしたプログラムタイプとそのときの受信レベルとをリンクさせて記憶するようにする。本発明による第３の態様では、プログラムタイプとこのプログラムタイプに好適な音場で再生するようにする。
【００１９】
本発明による第４の態様は、ＤＡＢ受信機による受信モードにおいて最後に聴取していたプログラムタイプを記憶しておき、再び受信モードに復帰するとき、記憶していた最後のプログラムタイプをサーチするようにする。本発明による第５の態様は、聴取希望のプログラムタイプをサーチできなかったとき、そのプログラムタイプを予約してプログラムタイプ自動サーチを続行するようにする。
【００２０】
本発明による第６の態様は、ディジタルオーディオ放送受信モード以外のサービスモードからこのディジタルオーディオ放送受信モードに遷移し、聴取希望のプログラムタイプをサーチしたときに当該聴取希望のプログラムタイプが存在しないとき、再び元のディジタルオーディオ放送受信モード以外のモードに戻るようにする。
上述した本発明による第１〜第６の態様は、次のようなＤＡＢ受信機、すなわち受信可能なサービス一覧をユーザに対し表示して聴取希望のプログラムタイプを指定させて、単一のアンサンブルの中からまたは複数のアンサンブルにわたって当該プログラムタイプをサーチする機能を備えたＤＡＢ受信機において実施される。この機能の具体例をフローチャートにより説明する。
【００２１】
図３はサーチモードでの選択のステップの第１例を示すフローチャートである。本図において、ステップＳ１：プログラムタイプによって聴取希望のサービスのサーチを開始する。
【００２２】
ステップＳ２：単一のアンサンブルの中からプログラムタイプをサーチする狭域モードのサーチか、複数のアンサンブルにわたってプログラムタイプをサーチする広域モードのサーチか、いずれかを選択する。これはキーボード１２上でユーザがモード登録するか、あるいはサーチ釦の押し方（例えばダブルプッシュ）等で定めることができる。
【００２３】
ステップＳ３：ステップＳ２による判断が狭域指定であるとき、本ステップＳ３に進み、サーチを行う。  ステップＳ４：ステップＳ２による判断が広域指定であるとき、本ステップＳ４に進み、サーチを行う。図４はサーチモードの選択のステップの第２例を示すフローチャートである。
【００２４】
本図において、ステップＳ５：狭域サーチモード（ステップＳ３に相当）でサーチする。ステップＳ６：上記のサーチによって要求プログラムタイプすなわち聴取希望のプログラムタイプがあるかないか（有／無）を判定する。ステップＳ７：要求プログラムタイプがないとき（無）、今度は広域サーチモード（ステップＳ４に相当）に移行する。
【００２５】
要求プログラムタイプがあれば（有）、スピーカ（ＳＰ）８よりこれを聴取する。図５はサーチモードの選択のステップ第３例を示すフローチャートである。本図において、ステップＳ８：狭域サーチモード（ステップＳ３に相当）でサーチする。
【００２６】
ステップＳ９：要求プログラムタイプすなわち聴取希望のプログラムタイプがあるかないか（有／無）を判定する。ステップＳ１０：次のステップＳ１１、すなわち広域サーチモード（ステップＳ４に相当）に進むか否か（有効／無）を判断する。ステップＳ１１：有効ならば本ステップＳ１１を実行する。
【００２７】
なお、ステップＳ１０の判断は、キーボード１２上でユーザがマニュアルで指定することもできる。本発明は上述した機能を備えたＤＡＢ受信機において、既述の第１〜６の態様〜を実施する。図６は第１の態様を表すフローチャートである。
【００２８】
本図において、
ステップＳ２１：所望のプログラムタイプをサーチする。ステップＳ２２：所望のプログラムタイプが所定の数（例えば、３または４）揃ったら、上記ステップＳ２１でのサーチをストップする。このように第１の態様は、上記サーチの結果、該当のプログラムタイプの候補が複数存在するとき、所定の数だけ候補が揃った時点でサーチを終了することを特徴とする。
【００２９】
これにより、サーチ時間の短縮を図ることができる。なお上記の所定の数は、キーボード１２上でユーザが任意に指定して、その数をＲＡＭ１５に保存しておくことができる。図７は図６の処理の具体例を示すフローチャートである。本図において、ステップＳ２３：サーチを終了させるための終了モードが、ノーマル（通常）か、上記ステップＳ２２（図５）によるか、いずれであるかを判定する。
【００３０】
ステップＳ２４：ステップＳ２２による終了モードのときは、さらに、上述した所定の数（例えば、３または４）すなわち終了条件数を、例えばＲＡＭ１５から読み込む。ステップＳ２５：図５のサーチ処理を実行する。ステップＳ２６：ステップＳ２３の判定の結果が“ノーマル”であれば、ノーマルサーチ処理、すなわち受信可能な全てのプログラムタイプをサーチする。
【００３１】
図８は第２の態様を表すフローチャートである。本図において、ステップＳ２７：所望のプログラムタイプをサーチする。ステップＳ２８：上記サーチにおいて測定した各アンサンブルの受信レベルを取得する。この受信レベルは、無線受信部（ＲＦ）２において検出可能である。
【００３２】
ステップＳ２９：サーチしたサービスとそのときの受信レベルとをリンクさせて記憶させておく。この記憶はＲＡＭ１５にて行う。このように第２の態様は、複数のアンサンブルにわたってプログラムタイプをサーチするとき、サーチしたプログラムタイプとそのときの受信レベルとをリンクさせて記憶することを特徴とする。
【００３３】
これによりユーザは受信品質の良好なサービスを選択することができる。図９は図８の処理のさらに好適な処理を表すフローチャートである。本図において、ステップＳ３０：図８の処理を行う。ステップＳ３１：ステップＳ３０でのサーチによりサービスを複数取得したか否か判断する。
【００３４】
ステップＳ３２：サービスを複数取得したときは、受信レベルの良好なものから順番にソートしてユーザに対し表示する。その後、ユーザは、受信レベルの良好なものの中から所望のサービスを選択する。これにより受信品質の良好なサービスを容易に選択可能となる。図１０は第３の態様を表すフローチャートである。
【００３５】
本図において、ステップＳ３３：サービス受信によりプログラムタイプを取得する。ステップＳ３４：取得したプログラムタイプに好適な音場で再生を行う。ポップやロック等、種々のミュージックジャンルに適した音場制御を行うために、プログラムタイプが特定されたとき、このプログラムタイプに合った音場を設定する。
【００３６】
マイコン１１は、チャンネルデコード部４の出力から、選択されたプログラムタイプでの上記ミュージックジャンルを知ることができる。そこでマイコン１１は、このミュージックジャンルに好適な音場を例えばＲＡＭ１５から検索して設定する。周知のように音場制御はイコライザ処理により実現され、そのため各種フィルタ係数はＲＯＭ１６に格納される。
【００３７】
このフィルタ係数に基づきＤＳＰ１３にて、オーディオデコード部５からのディジタル出力にイコライザ処理を加えて、目的とする音場がスピーカ８より提供される。図１１は音場設定の一例を示すフローチャートである。本図において、ステップＳ３５：どのプログラムタイプにはどの音場が最適か、ユーザが自ら予め決定し、これを例えばＲＡＭ１５に格納しておく。
【００３８】
ステップＳ３６：プログラムタイプが選択されたら、このプログラムタイプに対して予め設定された音場にて再生を行う。図１２は音場再生の指示の仕方を表すフローチャートである。本図において、ステップＳ３７：音場制御を自動で行うかユーザがマニュアルで行うかを判別する。
【００３９】
ステップＳ３８：自動音場制御の指示がユーザから与えられているときは、前述したステップＳ３５（図１１）で設定された、プログラムタイプ別の音場指定データをＲＡＭ１５から読み込む。ステップＳ３９：目的とする図１０に示す音場再生処理を行う。図１３は第４の態様を表すフローチャートである。
【００４０】
本図において、ステップＳ４０：最後のプログラムタイプ（およびそのサービス）を記憶する。ステップＳ４１：ＤＡＢ受信モードに復帰する。ステップＳ４２：復帰時のプログラムタイプと、ステップＳ４０で記憶したラストプログラムタイプとを比較する。
【００４１】
ステップＳ４３：その比較の結果、ラストプログラムと異なっていれば（変化）、ラストプログラムと同一のプログラムタイプをサーチする。このように第４の態様は、受信モードにおいて最後に聴取していたプログラムタイプを記憶し、受信モードに復帰するとき、記憶していた最後のプログラムタイプをサーチすることを特徴とする。
【００４２】
これにより、例えば野球放送を聞いていたユーザが途中で交通情報ニュースに切り換えて、その後、再び野球放送に戻りたいときに簡単に元に戻ることができる。図１４は図１３の処理に付加することのできるステップを表す図である。本図において、ステップＳ４４：自動サーチモードはオンに設定されているかオフに設定されているか判定する。自動サーチモードにするか否かは、キーボート１２上でユーザが指定することができる。
【００４３】
ステップＳ４５：自動サーチモードがオンに設定されていれば、図１３の処理を実行する。例えば野球放送の後半を聞いている途中で、例えば車から降りたような場合、再び車に戻るのが例えば１時間半後の予定であるならば、再び野球放送を聞ける可能性は少ない（当該放送は終了している）。このようなときは、自動サーチモードをオフにしておくのがよい。
【００４４】
図１５は第５の態様を表すフローチャートである。本図において、ステップＳ４６：プログラムタイプのサーチが終了する。ステップＳ４７：上記のサーチにおいて要求プログラムタイプがあったか否（有／無）か判断する。
【００４５】
ステップＳ４８：もしその要求プログラムがなければ（無）、そのプログラムタイプを予約する。このように第５の態様は、聴取希望のプログラムタイプをサーチできなかったとき、そのプログラムタイプを予約してプログラムタイプ自動サーチを実行することを特徴とする。
【００４６】
これにより、例えば野球放送を聞こうとしたが、どの局も未だその放送を開始しておらず、その開始待ちとなったユーザは、キーボード１２上で予約モードを指定しておくことができる。こうすると、希望の野球放送が開始するのと同時にその放送を聞くことができる。あるいはその放送が開始したことを例えばビープ音でユーザに知らせるようにしてもよい。
【００４７】
図１６は、図１５の処理に付加することのできるステップを表す図である。本図において、ステップＳ４９：予約機能が有効か無効か判定する。これはキーボード１２上でユーザが指定することができる。ステップＳ５０：予約機能が有効なときのみ、図１４の処理を行う。
【００４８】
なお、このステップＳ４９についてのユーザの指定は、上記の予約モードを指定するキーボード１２上のスイッチで兼ねることができる。図１７は図１５の処理に付加することのできるステップを表す図である。本図において、ステップＳ５１：予約タイムアウト時間を設定する。つまり、予約は無制限に行うのではなく、ある時間を決めて設定する。
【００４９】
ステップＳ５２：図１６に示した処理を実行する。ステップＳ５３：タイムアウトか否か判定する。ステップＳ５４：予め定めたタイムアウト時間が経過したら（タイムアウト）、上記の予約機能を取り消す。かくのごとく、予約のタイムアウト時間を予め設定し、そのタイムアウト時間の経過後に予約を解除するようにすれば、例えば野球放送のように大体試合時間が決まっている場合には、そのような試合時間を大幅に経過してまで予約遂行のための無駄なサーチをしなくて済む。
【００５０】
図１８は予約解除の一形態を表すフローチャートである。本図において、ステップＳ５５：予約しておいたプログラムタイプ（上記の例で野球放送）が、予約が実現してアクティブになる。ステップＳ５６：その時点で予約を解除するか否か判断する。この決定はユーザがキーボード１２上で行う。
【００５１】
ステップＳ５７：上記の判断により予約解除をするならば、そのための処理を行う。ユーザが上記予約中に例えばＣＤによる音楽を聞き始めたようなときに有効である。図１９は予約解除の他の一形態を表すフローチャートである。
【００５２】
本図において、ステップＳ５８：ユーザがＤＡＢ受信モードから離れる。ステップＳ５９：予約機能を解除する。例えば車載用のＤＡＢ受信機ならば、ユーザが何らかの要因でＤＡＢ受信モードから離れるとき、すなわち車から降りてしうまときは、最早予約をしておく意味がないからこれを解除する。
【００５３】
図２０は予約解除のさらに他の一形態を表すフローチャートである。本図において、ステップＳ６０：予約の自動解除機能がオンかオフかを判定する。これはユーザが決定する。ステップＳ６１：自動解除機能がオン（アクティブ）であるときは、図１９に示す処理を実行する。
【００５４】
図２１は第６の態様を表すフローチャートである。本図において、ステップＳ６２：ＤＡＢ受信モード外から、ＤＡＢ受信モードへ移行する。ステップＳ６３：その移行後、要求プログラムタイプをサーチしそれがあるかないか（有／無）を判定する。
【００５５】
ステップＳ６４：要求プログラムタイプがなければ（無）、元のＤＡＢ受信モード外のサービスモードに戻る。このように第６の態様では、ＤＡＢ受信モード以外のサービスモードからこのＤＡＢ受信モードに遷移し、聴取希望のプログラムタイプをサーチしたときに当該聴取希望のプログラムタイプが存在しないとき、再び元の前記ディジタルオーディオ放送受信モード以外のサービスモードに戻ることを特徴とする。
【００５６】
これにより、例えばＣＤからの音楽によって提供されるサービスモードにいるユーザが、例えば野球放送等の希望のプログラムタイプを選択した場合、しかしそのような要求プログラムタイプが存在しなかった場合には、簡単に再び元のサービスモードに戻ることができる。図２２は図２１の処理に付加することのできるステップを表すフローチャートである。
【００５７】
本図において、ステップＳ６５：自動リターンモードがオンかオフか判定する。このモードのオンかオフかはユーザが予め指定する。ステップＳ６６：自動リターンモードがオンのときに、上記図２０の処理を実行する。
【図面の簡単な説明】
【００５８】
【図１】本発明を適用するのに好適なＤＡＢ受信機の一例を示す図である。
【図２】本発明によるサービス提供方法の各態様を表す図である。
【図３】サーチモードでの選択のステップの第１例を示すフローチャートである。
【図４】サーチモードでの選択のステップの第２例を示すフローチャートである。
【図５】サーチモードでの選択のステップの第３例を示すフローチャートである。
【図６】第１の態様を表すフローチャートである。
【図７】図６の処理の具体例を示すフローチャートである。
【図８】第２の態様を表すフローチャートである。
【図９】図８の処理のさらに好適な処理を表すフローチャートである。
【図１０】第３の態様を表すフローチャートである。
【図１１】音場設定の一例を示すフローチャートである。
【図１２】音場再生の指示の仕方を表すフローチャートである。
【図１３】第４の態様を表すフローチャートである。
【図１４】図１３の処理に付加することのできるステップを表す図である。
【図１５】第５の態様を表すフローチャートである。
【図１６】図１５の処理に付加することのできるステップを表す図である。
【図１７】図１５の処理に付加することのできるステップを表す図である。
【図１８】予約解除の一形態を表すフローチャートである。
【図１９】予約解除の他の一形態を表すフローチャートである。
【図２０】予約解除のさらに他の一形態を表すフローチャートである。
【図２１】第６の態様を表すフローチャートである。
【図２２】図２１の処理に付加することのできるステップを表す図である。
【図２３】ＤＡＢの仕様に準拠した放送信号形態を階層構造で表す図（その１）である。
【図２４】ＤＡＢの仕様に準拠した放送信号形態を階層構造で表す図（その２）である。
【図２５】プログラムタイプの具体例を表す図である。
【符号の説明】
【００５９】
１１  マイコン
１２  キーボード
１３  ディジタル信号処理回路
【図１】
0004574638.tif 000002
【図２】
0004574638.tif 000003
【図３】
0004574638.tif 000004
【図４】
0004574638.tif 000005
【図５】
0004574638.tif 000006
【図６】
0004574638.tif 000007
【図７】
0004574638.tif 000008
【図８】
0004574638.tif 000009
【図９】
0004574638.tif 000010
【図１０】
0004574638.tif 000011
【図１１】
0004574638.tif 000012
【図１２】
0004574638.tif 000013
【図１３】
0004574638.tif 000014
【図１４】
0004574638.tif 000015
【図１５】
0004574638.tif 000016
【図１６】
0004574638.tif 000017
【図１７】
0004574638.tif 000018
【図１８】
0004574638.tif 000019
【図１９】
0004574638.tif 000020
【図２０】
0004574638.tif 000021
【図２１】
0004574638.tif 000022
【図２２】
0004574638.tif 000023
【図２３】
0004574638.tif 000024
【図２４】
0004574638.tif 000025
【図２５】
0004574638.tif 000026